(57)【要約】【課題】  熱転写リボンの巻き径を大きくしても変形するおそれが少なく、強いテンションを加えても空回りしたり、粉体等の落下を招くことの少ない熱転写リボンのコアを提供する。【解決手段】  サーマルプリンタのシャフトに着脱自在に嵌入される中空のコア１と、このコア１の外周面に複数回巻回される長尺のサーマルリボン４とを備え、コア１を合成樹脂を用いて円筒形に射出成形し、このコア１の内周面には、軸方向に伸びる一対の係止溝を周方向に間隔をおいて形成し、コア１の両端部には、切り欠き３をそれぞれ形成する。コア１を紙ではなく、所定の合成樹脂を使用して成形し、剛性を付与するので、コア１の変形するおそれを有効に排除できる。【選択図】  図１
0003110365.tif 000002
【実用新案登録請求の範囲】
【請求項１】
コアと、このコアに巻かれる熱転写リボンとを含み、コアを合成樹脂により略円筒形に成形したことを特徴とする熱転写リボンのコア。
【請求項２】
中空のコアと、このコアに巻かれる熱転写リボンとを含み、コアを合成樹脂を用いて略円筒形に成形し、このコアの端部には、切り欠きを形成したことを特徴とする熱転写リボンのコア。
【請求項３】
プリンタのシャフトに嵌め入れられる中空のコアと、このコアに巻かれる熱転写リボンとを含み、
コアを合成樹脂を用いて円筒形に射出成形し、このコアの内周面には、軸方向に伸びる係止溝を間隔をおいて形成し、コアの端部には切り欠きを形成したことを特徴とする熱転写リボンのコア。
【請求項４】
サーマルプリンタのシャフトに嵌め入れられる中空のコアと、このコアに巻かれるサーマルリボンとを含み、
コアを合成樹脂を用いて略円筒形に成形し、このコアの内周面には、軸方向に伸びる係止溝を形成したことを特徴とする熱転写リボンのコア。
【請求項５】
サーマルプリンタのシャフトに嵌め入れられる中空のコアと、このコアに巻かれるサーマルリボンとを含み、
コアを合成樹脂を用いて略円筒形に射出成形し、このコアの端部には切り欠きを形成したことを特徴とする熱転写リボンのコア。
【請求項６】
サーマルプリンタのシャフトに嵌め入れられる中空のコアと、このコアに巻かれるサーマルリボンとを含み、
コアを合成樹脂により円筒形に射出成形し、このコアの周壁の内周面には、軸方向に伸びる複数の係止溝を周方向に間隔をおいて形成し、コアの周壁の両端部には、切り欠きをそれぞれ形成したことを特徴とする熱転写リボンのコア。
【考案の詳細な説明】
【技術分野】
【０００１】
本考案は、熱転写リボンのコアに関し、より詳しくは、サーマルリボンを巻く際のコアの改良に関するものである。
【背景技術】
【０００２】
工業用のサーマルプリンタにはサーマルリボンが使用されるが、このサーマルリボンは、図示しないが、長い帯形に形成され、サーマルプリンタのシャフトに嵌入されるコアに巻回されている。このコアは、厚紙を使用して円筒形に形成されている（特許文献１、２参照）。
【特許文献１】特開２００４‐２１６７２３号公報
【特許文献２】特開２００１‐０１９８８７号公報
【考案の開示】
【考案が解決しようとする課題】
【０００３】
従来における熱転写リボンのコアは、以上のようにコアが紙を使用して単に円筒形に形成されるに止まるので、サーマルリボンの巻き径を大きくしたい場合には、変形するおそれが少なくない。また、強いテンションを加える場合には、空回りしたり、粉の落下を招くという大きな問題がある。
【０００４】
本考案は上記に鑑みなされたもので、熱転写リボンの巻き径を大きくしても変形するおそれが少なく、強いテンションを加えても空回りしたり、粉体等の落下を招くことの少ない熱転写リボンのコアを提供することを目的としている。
【課題を解決するための手段】
【０００５】
本考案においては上記課題を解決するため、コアと、このコアに巻かれる熱転写リボンとを含み、コアを合成樹脂により略円筒形に成形したことを特徴としている。
【０００６】
また、本考案においては上記課題を解決するため、中空のコアと、このコアに巻かれる熱転写リボンとを含み、コアを合成樹脂を用いて略円筒形に成形し、このコアの端部には、切り欠きを形成したことを特徴としている。
【０００７】
また、本考案においては上記課題を解決するため、プリンタのシャフトに嵌め入れられる中空のコアと、このコアに巻かれる熱転写リボンとを含み、
コアを合成樹脂を用いて円筒形に射出成形し、このコアの内周面には、軸方向に伸びる係止溝を間隔をおいて形成し、コアの端部には切り欠きを形成したことを特徴としている。
【０００８】
また、本考案においては上記課題を解決するため、サーマルプリンタのシャフトに嵌め入れられる中空のコアと、このコアに巻かれるサーマルリボンとを含み、
コアを合成樹脂を用いて略円筒形に成形し、このコアの内周面には、軸方向に伸びる係止溝を形成したことを特徴としている。
【０００９】
さらに、本考案においては上記課題を解決するため、サーマルプリンタのシャフトに嵌め入れられる中空のコアと、このコアに巻かれるサーマルリボンとを含み、
コアを合成樹脂を用いて略円筒形に射出成形し、このコアの端部には切り欠きを形成したことを特徴としている。
【００１０】
さらにまた、本考案においては上記課題を解決するため、サーマルプリンタのシャフトに嵌め入れられる中空のコアと、このコアに巻かれるサーマルリボンとを含み、
コアを合成樹脂により円筒形に射出成形し、このコアの周壁の内周面には、軸方向に伸びる複数の係止溝を周方向に間隔をおいて形成し、コアの周壁の両端部には、切り欠きをそれぞれ形成したことを特徴としている。
【００１１】
ここで、実用新案登録請求の範囲におけるコアは、透明、不透明、半透明を特に問うものではない。熱転写リボンには、普通紙用、接着強度重視用様々なタイプがあるが、特に問うものではない。また、合成樹脂は、各種の熱可塑性樹脂でも良いし、熱硬化性樹脂でも良く、補強性フィラーの添加の有無を問わない。成形には、少なくとも射出成形や押出成形等が含まれる。さらに、係止溝や切り欠きの数は、特に限定されるものではないが、２以上であることが好ましい。
【考案の効果】
【００１２】
本考案によれば、例え熱転写リボンの巻き径を大きくしても、変形するおそれが少ないという効果がある。また、例え熱転写リボンに強いテンションを加えても、空回りしたり、粉体等の落下を招くことが少ない。
【考案を実施するための最良の形態】
【００１３】
以下、図面を参照して本考案の好ましい実施の形態を説明すると、本実施形態における熱転写リボンのコアは、図１ないし図５に示すように、小型化が容易な工業用サーマルプリンタの回転するシャフトに着脱自在に嵌入される中空のコア１と、このコア１の外周面に幾重にも巻回される長尺のサーマルリボン４とを備えている。
【００１４】
工業用サーマルプリンタは、図示しないそのシャフトの外周面に一対の板バネ片が１８０°の間隔をおいて装着され、この一対の板バネ片がコア１の周壁の内周面に弾圧付勢してスリップを防止するよう機能する。
【００１５】
コア１は、所定の合成樹脂を使用して通常１インチの円筒形に射出成形され、周壁の内周面には、軸方向（図３の左右方向）に伸びる一対の係止溝２が周方向に１８０°の間隔をおいて断面略Ｖ字形に形成（図５参照）されており、各係止溝２にシャフトの板バネが圧接される。コア１の所定の合成樹脂としては、優れた強度や剛性等を得ることが可能な樹脂であれば、特に限定されるものではないが、例えばＰＡＲ、強化ＰＰＳ、ＰＥＴ、ＰＣ、ＰＯＭ、ＰＥＳ、ＰＥＥＫ等があげられる。また、コア１の周壁の両端部には、位置決め固定用で矩形の切り欠き３がそれぞれ選択的に形成される（図３、図４参照）。
【００１６】
サーマルリボン４は、例えばＣＰＰやＰＥＴ等からなるベース層、剥離層、及びワックスカーボンやカーボン等からなるインク層が順次積層されることにより、長さ３００ｍの薄い（例えば、６μｍ程度）帯形に形成される。
【００１７】
上記によれば、コア１を紙ではなく、所定の合成樹脂により成形し、優れた強度、剛性、曲げ強さ、力学的性質を付与するので、サーマルリボン４の巻き径にかかわらず、コア１の変形するおそれをきわめて有効に排除することができる。また、サーマルリボン４に強いテンションを加えても、空回りしたり、インク粉の落下を招くことがない。
【００１８】
また、射出成形により製造するので、生産性、品質安定性、応用性の著しい向上が期待でき、しかも、高付加価値化とコストダウンが大いに期待できる。さらに、コア１に係止溝２や切り欠き３を設けるので、簡易な構成でシャフトに対するコア１の位置決め固定やスリップ防止を図ることが可能になる。
【００１９】
なお、上記実施形態ではコア１の周壁の両端部に切り欠き３をそれぞれ形成したが、何らこれに限定されるものではない。例えば、コア１の周壁の両端部に、１８０°の間隔で相対向する一対の切り欠き３をそれぞれ形成しても良いし、コア１の周壁の両端部に、複数の切り欠き３をそれぞれ形成しても良い。
【図面の簡単な説明】
【００２０】
【図１】本考案に係る熱転写リボンのコアの実施形態を示す斜視説明図である。
【図２】本考案に係る熱転写リボンのコアの実施形態におけるコアを示す斜視説明図である。
【図３】本考案に係る熱転写リボンのコアの実施形態を示す説明図である。
【図４】図３の正面説明図である。
【図５】図３のコアの係止溝を示す断面説明図である。
【符号の説明】
【００２１】
１          コア
２          係止溝
３          切り欠き
４          サーマルリボン（熱転写リボン）
【図１】
0003110365.tif 000003
【図２】
0003110365.tif 000004
【図３】
0003110365.tif 000005
【図４】
0003110365.tif 000006
【図５】
0003110365.tif 000007